(57)【特許請求の範囲】
【請求項１】
機体の周壁部にカバー部材の一方の部位と他方の部位が取り付けられることにより、前記カバー部材で前記周壁部の開口部を覆うように構成されたカバー部材の取付構造体において、
前記機体側に設けられ、前記一方の部位を揺動自在に支持可能な支持部と、
前記他方の部位を前記機体側に固定するために、前記カバー部材の揺動中心に対して略平行に締め付け可能なノブ付ねじ部材と、を備え、
前記カバー部材は、
前記他方の部位に形成され、前記ノブ付ねじ部材を差し込み可能に、前記カバー部材の揺動中心に対して略平行に形成された締付孔と、
前記締付孔を前記ノブ付ねじ部材から取外し可能に、前記締付孔に連通されるとともに前記締付孔の反対側に開口部を有するガイド部と、
前記ガイド部のうち前記支持部の反対側の部位から前記支持部に向けて突出され、前記ノブ付ねじ部材に前記締付孔を仮止め可能な突出部と、を備え、
前記突出部は、前記ガイド部のうち、前記締付孔との境界に形成されていることを特徴とするカバー部材の取付構造体。
【請求項２】
前記カバー部材のうち前記締付孔の外周で、かつ前記ガイド部の近傍に設けられ、前記ノブ付ねじ部材の締付け時に、前記ノブ付ねじ部材の一部位に当接可能な係合部が備えられ、
前記係合部は、
前記締付孔の外周を囲むように壁形状に形成され、
前記ノブ付ねじ部材の一部位は、前記壁形状の係合部の内周に近接すると共に連続して対向していることを特徴とする請求項１記載のカバー部材の取付構造体。
【請求項３】
前記カバー部材のうち前記締付孔の外周で、かつ前記ガイド部の近傍に設けられ、前記ノブ付ねじ部材の締付け時に、前記ノブ付ねじ部材の一部位に当接可能な係合部が備えられ、
前記係合部は、前記締付孔の外周を囲むように略Ｃ字状の壁形状に形成され、
前記ノブ付ねじ部材の一部位の外形寸法は、前記略Ｃ字状の係合部の両端に相当する上下の係合部位の間隔よりも大きく形成されていることを特徴とする請求項１記載のカバー部材の取付構造体。
【請求項４】
前記支持部は、弾性変形可能なグロメットを備え、
前記カバー部材は、前記グロメットに挿入される支持突起を有し、
前記支持突起は、先端部が先細状に形成され、
前記グロメットに、前記支持突起が挿入されたとき、前記先端部と前記グロメットとの間には隙間が形成されていることを特徴とする請求項１記載のカバー部材の取付構造体。
【発明の詳細な説明】
【技術分野】
【０００１】
本発明は、機体の周壁部にカバー部材の一方の部位と他方の部位が取り付けられることにより、カバー部材で周壁部の開口部を覆うように構成されたカバー部材の取付構造体に関する。
【背景技術】
【０００２】
脱穀機や除雪機などの機体は、通常、機体の周壁部に保守・点検用のカバー部材の取付構造体を備えている。
このカバー部材の取付構造体は、平面視で略矩形状に形成されたカバー部材と、カバー部材の四角部を周壁部に取り付けるノブ付きボルトとを備えている。
カバー部材を周壁部から外す際には、ノブ付きボルトのノブを手で握り、ノブ付きボルトを緩めて周壁部から外し、カバー部材をカバーを手で持って周壁部から外す（例えば、特許文献１参照。）。
【先行技術文献】
【特許文献】
【０００３】
【特許文献１】特開２００９−２６８４１１号公報
【発明の概要】
【発明が解決しようとする課題】
【０００４】
しかし、特許文献１のカバー部材の取付構造体は、カバー部材の四角部がノブ付きボルトで周壁部に取り付けられている。
このカバー部材を周壁部から取り外す際には、カバー部材が落下しないように手で押さえながらノブ付きボルトを緩める必要がある。
一方、カバー部材を周壁部に取り付ける際にも、カバー部材が落下しないように手で押さえながらノブ付きボルトを締め付ける必要がある。
このため、周壁部にカバー部材を取り付ける作業に手間がかかるという問題があった。
【０００５】
本発明は、カバー部材の着脱作業を容易におこなうことができるカバー部材の取付構造体を提供することを課題とする。
【課題を解決するための手段】
【０００６】
請求項１に係る発明は、部位と他方の部位が取り付けられることにより、前記カバー部材で前記周壁部の開口部を覆うように構成されたカバー部材の取付構造体において、
前記機体側に設けられ、前記一方の部位を揺動自在に支持可能な支持部と、
前記他方の部位を前記機体側に固定するために、前記カバー部材の揺動中心に対して略平行に締め付け可能なノブ付ねじ部材と、を備え、前記カバー部材は、前記他方の部位に形成され、前記ノブ付ねじ部材を差し込み可能に、前記カバー部材の揺動中心に対して略平行に形成された締付孔と、前記締付孔を前記ノブ付ねじ部材から取外し可能に、前記締付孔に連通されるとともに前記締付孔の反対側に開口部を有するガイド部と、前記ガイド部のうち前記支持部の反対側の部位から前記支持部に向けて突出され、前記ノブ付ねじ部材に前記締付孔を仮止め可能な突出部と、を備え、前記突出部は、前記ガイド部のうち、前記締付孔との境界に形成されていることを特徴とする。
【０００７】
請求項２は、前記カバー部材のうち前記締付孔の外周で、かつ前記ガイド部の近傍に設けられ、前記ノブ付ねじ部材の締付け時に、前記ノブ付ねじ部材の一部位に当接可能な係合部が備えられ、前記係合部は、前記締付孔の外周を囲むように壁形状に形成され、前記ノブ付ねじ部材の一部位は、前記壁形状の係合部の内周に近接すると共に連続して対向していることを特徴とする。
【０００８】
請求項３は、前記カバー部材のうち前記締付孔の外周で、かつ前記ガイド部の近傍に設けられ、前記ノブ付ねじ部材の締付け時に、前記ノブ付ねじ部材の一部位に当接可能な係合部が備えられ、前記係合部は、前記締付孔の外周を囲むように略Ｃ字状の壁形状に形成され、前記ノブ付ねじ部材の一部位の外形寸法は、前記略Ｃ字状の係合部の両端に相当する上下の係合部位の間隔よりも大きく形成されていることを特徴とする。
【０００９】
請求項４は、前記支持部は、弾性変形可能なグロメットを備え、前記カバー部材は、前記グロメットに挿入される支持突起を有し、前記支持突起は、先端部が先細状に形成され、前記グロメットに、前記支持突起が挿入されたとき、前記先端部と前記グロメットとの間には隙間が形成されていることを特徴とする。
【発明の効果】
【００１０】
請求項１に係る発明では、機体側の支持部にカバー部材の一方の部位を揺動自在に支持可能とした。さらに、ガイド部に突出部を設け、この突出部でノブ付ねじ部材に締付孔を仮止め可能とした。
ノブ付ねじ部材に締付孔を突出部で仮止めすることで、カバー部材を機体側に仮止めすることができる。
【００１１】
これにより、カバー部材を手で押さえなくてもノブ付ねじ部材を締め付けることが可能になり、カバー部材の取付作業を容易におこなうことができる。
さらに、カバー部材を手で押さえなくてもノブ付ねじ部材を緩めることが可能になり、カバー部材の取外作業を容易におこなうことができる。
【００１２】
請求項２に係る発明では、カバー部材に係合部を設け、ノブ付ねじ部材の締付け時に、ノブ付ねじ部材の一部位に係合部を当接可能とした。
このように、ノブ付ねじ部材の一部位に係合部を当接させることで、ノブ付ねじ部材から係合部、すなわち締付孔が抜け出すことを阻止できる。
これにより、カバー部材を取付位置に確実に固定することができる。
【００１３】
加えて、係合部を締付孔の外周を囲むように壁形状に形成した。
よって、ノブ付ねじ部材の一部位に係合部を当接させた状態において、ノブ付ねじ部材のねじ部を係合部で覆うことができる。
これにより、砂や埃などの異物からねじ部を保護することができる。
さらに、ノブ付ねじ部材の一部位を係合部で覆うことで、ねじ部を外部から目視できないようにして外観性を高めることができる。
【００１４】
請求項４に係る発明では、支持部に弾性変形可能なグロメットを備えた。よって、グロメットを弾性変形させることで一方の部位（すなわち、カバー部材）を円滑に揺動させることができる。
これにより、カバー部材を周壁部から一層容易に着脱することができる。
【図面の簡単な説明】
【００１５】
【図１】本発明に係るカバー部材の取付構造体を備えた除雪機を示す斜視図である。
【図２】図１のカバー部材の取付構造体を示す斜視図である。
【図３】図２のカバー部材の取付構造体を示す側面図である。
【図４】（ａ）は図３の４ａ部拡大図、（ｂ）は図４（ａ）の左下支持部から左支持突部を外した状態を示す断面図である。
【図５】図３の５−５線断面図である。
【図６】図５の左締付手段を分解した状態で示す断面図である。
【図７】本発明に係る工具カバーを開放した状態を示す断面図である。
【図８】図３のカバー部材を収納ケースから外した状態を示す側面図である。
【図９】（ａ）は図５の９ａ−９ａ線断面図、（ｂ）は図５の９ｂ−９ｂ線断面図である。
【図１０】本発明に係るノブ付ねじ部材を緩める例を説明する図である。
【図１１】本発明に係るカバー部材を収納ケースから離れる方向に移動する例を説明する図である。
【図１２】本発明に係るカバー部材を開放位置まで揺動する例を説明する図である。
【図１３】本発明に係るカバー部材を収納ケースから外す例を説明する図である。
【図１４】本発明に係るカバー部材を支持突起を支点にして収納ケースに向けて揺動させる例を説明する図である。
【図１５】本発明に係る突出部がカラーを乗り越える例を説明する図である。
【図１６】本発明に係るカバー部材を取付位置に仮止めする例を説明する図である。
【図１７】本発明に係るノブ付ねじ部材および収納ケースで左被締結部を締め付ける例を説明する図である。
【発明を実施するための形態】
【００１６】
本発明を実施するための最良の形態を添付図に基づいて以下に説明する。
実施例では本発明を適用する機体として除雪機１０を例示するが、これに限定するものではなく、管理機、脱穀機や工作機械などの他の機体に本発明を適用することが可能である。
【実施例】
【００１７】
実施例に係るカバー部材の取付構造体２０について説明する。
図１に示すように、除雪機１０は、左右の走行部１２を支持する走行フレーム１１と、走行フレーム１１上に設けられた車体フレーム１３と、車体フレーム１３の前端部に設けられた除雪作業部１４と、車体フレーム１３に搭載されて除雪作業部１４を駆動可能なエンジン１５とを備えている。
【００１８】
さらに、除雪機１０は、走行フレーム１１の後部から後方へ向けて上り勾配に延出された左右の操作ハンドル１７（左側のみを図示する）と、左右の操作ハンドル１７に設けられた収納ケース（周壁部）１８と、収納ケース１８に設けられたカバー部材の取付構造体２０と、操作ハンドル１７の先端に設けられたグリップ１９とを備えている。
【００１９】
除雪機１０によれば、エンジン１５を駆動することにより左右の走行部１２および除雪作業部１４が駆動する。
左右の走行部１２が駆動することで除雪機１０が走行し、グリップ１９を握った作業者が除雪機１０とともに歩行しながら除雪機１０を操作して除雪作業部１４で除雪作業をおこなう。
【００２０】
図２、図３に示すように、収納ケース１８は、左右の操作ハンドル１７にボルト２２で取り付けられた左右の側壁２３（右側壁２３は図８参照）と、左右の側壁２３の下端部に設けられた底部２４とを備えている。
この収納ケース１８は、左右の側壁２３および底部２４で後面視略コ字状に形成されている。
【００２１】
左右の側壁２３は、側面視で略台形状に形成され、前傾斜辺２３ａが左右の操作ハンドル１７にボルト２２で取り付けられている。
左側壁２３の上端部２３ｂに左上支持部２６（図６も参照）が設けられている。
右側壁２３の上端部  に右上支持部２６（図示せず）が設けられている。
【００２２】
底部２４は、後端２４ａから上方に折り曲げられた折曲片２５を有する。
折曲片２５の左端部に左下支持部（支持部）２８が設けられ、折曲片２５の右端部の右端部に右下支持部（支持部）２８が設けられている。
底部２４にバッテリ３１や制御部３２などが設けられている。
制御部３２は、除雪機１０の走行状態や、除雪作業部１４の駆動状態を制御するものである。
【００２３】
カバー部材の取付構造体２０は、収納ケース１８の底部２４に設けられた左右の下支持部２８と、収納ケース１８の左側壁２３に設けられた左上支持部２６と、収納ケース１８の右側壁２３に設けられた右上支持部２６（図示せず）と、左右の下支持部２８および左右の上支持部２６に支持可能なカバー部材３５と、カバー部材３５を収納ケース１８に取付け可能な左右の締付手段３６とを備えている。
【００２４】
ここで、左右の下支持部２８、左右の上支持部２６および左右の締付手段３６は左右対称の部材で構成されているので、以下左下支持部２８、左上支持部２６および左締付手段３６について説明して右下支持部２８、右上支持部２６および右締付手段３６の説明を省略する。
【００２５】
図４に示すように、左下支持部２８は、折曲片２５の左端部に設けられた支持傾斜片４１と、支持傾斜片４１に設けられたグロメット４２とを備えている。
【００２６】
支持傾斜片４１は、折曲片２５の上端２５ａから前方に向けて上り勾配状に設けられ、略中央に支持孔４１ａが形成されている。
支持孔４１ａにグロメット４２が設けられている。
よって、グロメット４２は、後端４２ａから前端４２ｂに向けて上り勾配状に設けられている。
【００２７】
グロメット４２は、ゴムなどの弾性部材で筒状に形成された部材である。
このグロメット４２は、軸方向に形成された貫通孔４３と、外周のうち軸方向の中央に形成された環状溝４４と、環状溝４４の上壁を形成する上フランジ４５と、環状溝４４の下壁を形成する下フランジ４６とを有する。
【００２８】
グロメット４２の環状溝４４が支持傾斜片４１の支持孔４１ａに嵌入された状態において、上フランジ４５が支持傾斜片４１の上面に接触し、下フランジ４６が支持傾斜片４１の下面に接触する。
これにより、グロメット４２が支持傾斜片４１に取り付けられ、貫通孔４３が支持傾斜片４１に対して直交するように設けられている。
よって、グロメット４２の貫通孔４３は、後ろ向きに上り勾配に形成されている。
【００２９】
図５、図６に示すように、左上支持部２６は、左側壁２３の裏面２３ｃからカバー部材３５内に向けて筒部４８が突出され、筒部４８内に同軸上に雌ねじ部４９が形成されている。
雌ねじ部４９に、左締付手段３６のノブ付ねじ部材８１（後述する）がねじ結合されている。
【００３０】
図２、図３に示すように、カバー部材３５は、後面視略矩形状に形成されたカバー後壁５１と、カバー後壁５１の左端５１ａから前方に向けて張り出されたカバー左側壁５２と、カバー後壁５１の右端５１ｂから前方に向けて張り出されたカバー右側壁５２とを有する。
カバー後壁５１、カバー左側壁５２およびカバー右側壁５２でカバー部材３５が略箱形に形成されている。
【００３１】
図３、図７に示すように、カバー部材３５は、カバー後壁５１の略中央に設けられた工具収納部５５と、工具収納部５５を覆う工具カバー５６とを有する。
【００３２】
工具収納部５５は、カバー後壁５１から前側に向けて凹むように凹状に形成された収納空間５９を有する。
この収納空間５９に工具類（工具類は工具袋に納められている）５８が開口部５７から収納される。
この工具収納部５５は、上部に係止孔５５ａが形成されている。
【００３３】
工具カバー５６は、下端５６ａが支持軸６１を介して前後方向に揺動自在に設けられ、上端５６ｂに弾性変形可能な係止部６２が設けられている。
係止部６２を上下方向に弾性変形させることにより係止孔５５ａに係止部６２が係止され、工具カバー５６が閉位置に保持される。
【００３４】
図８に示すように、カバー部材３５は、カバー後壁５１の下端５１ｃに設けられた左右の支持突部（一方の部位）６５（右支持突部６５は図２参照）と、カバー左側壁５２の上前端５２ａに設けられた左被締結部（他方の部位）７１と、カバー右側壁５２の前端部５２ａ（図２参照）に設けられた右被締結部（他方の部位）７１（図示せず）とを有する。
【００３５】
左右の支持突部６５および左右の被締結部７１は左右対称の部材で構成されているので、以下左支持突部６５および左被締結部７１について説明して右支持突部６５および右被締結部７１の説明を省略する。
【００３６】
左支持突部６５が左下支持部２８に取り付けられる。また、左被締結部７１が左上支持部２６（図５参照）に左締付手段３６で締結される。
これにより、カバー部材３５が収納ケース１８に取り付けられ、カバー部材３５で収納ケース１８の開口部６９が覆われる。
【００３７】
図４に示すように、左支持突部６５は、カバー後壁５１の下端５１ｃから前方に向けて張り出された支持張出片６６と、支持張出片６６から下方に向けて突出された支持突起６７とを有する。
【００３８】
支持張出片６６は、略水平に形成されている。
一方、左下支持部２８のグロメット４２は、後端４２ａから前端４２ｂに向けて上り勾配状に設けられている。
よって、グロメット４２の後端４２ｂに対して支持張出片６６を所定間隔Ｓ１だけ上方に離して配置できる。
【００３９】
支持突起６７は、支持張出片６６からグロメット４２の貫通孔４３に向けて突出されている。
支持突起６７を貫通孔４３に嵌入させることで、グロメット４２（具体的には、支持傾斜片４１）で左支持突部６５を支持することができる。
【００４０】
このように、カバー後壁５１の下端５１ｃに左右の支持突部６５を備えることで、ボルトを用いなくてもカバー後壁５１の下端５１ｃを左右の下支持部２８で支えることができる。
よって、カバー部材３５を着脱する際に、カバー後壁５１の下端５１ｃをボルトで締め付ける必要がないので、カバー部材３５の着脱を容易におこなうことができる。
【００４１】
左支持突部６５を支持傾斜片４１で支持した状態で、グロメット４２の後端４２ａに対して支持張出片６６が所定間隔Ｓ１だけ上方に離されている。
さらに、支持突起６７は、先端部が先細状に形成されている。よって、先端部およびグロメット４２間に隙間Ｓ２が確保されている。
【００４２】
これにより、支持突起６７を支点にして支持張出片６６を矢印方向に移動させることが可能である。
よって、カバー部材３５（図３参照）を取り外す際に、支持張出片６６を矢印方向に移動させることができる。支持張出片６６を移動させることで、カバー部材３５が揺動中心７０（図２も参照）を軸にして取外方向に円滑に揺動させることができる。
一方、カバー部材３５を取り付ける際に、カバー部材３５が揺動中心７０を軸にして取付方向に円滑に揺動させることができる。
【００４３】
また、左支持突部６５を支える左下支持部２８に弾性変形可能なグロメット４２が備えられている。
よって、グロメット４２を弾性変形させることで、左支持突部６５（すなわち、カバー部材３５）を一層円滑に揺動させることができる。
【００４４】
さらに、支持突起６７はグロメット４２の貫通孔４３に上方から嵌入されている。
よって、グロメット４２の貫通孔４３から支持突起６７を上方に抜き出すことが可能である。
貫通孔４３から支持突起６７を抜き出すことでカバー部材３５を収納ケース１８から取り外すことができる。
【００４５】
図９に示すように、左被締結部７１は、左締付手段３６のノブ付ねじ部材８１を差し込み可能な締付孔７２（図８も参照）と、締付孔７２をノブ付ねじ部材８１から取外し可能なガイド部（スリット部）７３と、ガイド部７３に設けられてノブ付ねじ部材８１に締付孔７２を仮止め可能な突出部（カム）７４とを有する。
さらに、左被締結部７１は、締付孔７２およびガイド部７３に沿って設けられたリブ部７５と、締付孔７２（具体的には、リブ部７５）の外周を囲むように壁形状に形成された係合部７６とを有する。
【００４６】
締付孔７２は、ノブ付ねじ部材８１のカラー８６に嵌合可能に、カバー部材３５の揺動中心７０（図２参照）に対して略平行に形成されている。
この締付孔７２にガイド部７３が連通されている。
【００４７】
ガイド部７３は、締付孔７２の上端７２ａから略水平に延出された上ガイド（ガイド部７３のうち左下支持部２８の反対側の部位）７３ａと、締付孔７２の下端７２ｂから下り勾配に延出された下ガイド７３ｂとを有する。
【００４８】
このガイド部７３は、締付孔７２の上端７２ａおよび下端７２ｂ間に連通されるとともに、カバー左側壁５２の前端部（端部）５２ｂまで前方に向けて延出され、前端部５２ｂ（すなわち、締付孔７２の反対側）にガイド開口部（開口部）７３ｃを有する。
さらに、ガイド部７３は、左支持突部６５が左下支持部２８（図３参照）に支持された状態において、ノブ付ねじ部材８１のカラー８６に嵌合可能に形成されている。
【００４９】
カラー８６にガイド部７３を嵌合させた状態において、カバー部材３５を揺動中心７０（図２参照）を軸にして後方に揺動させることにより、ガイド部７３をカラー８６に沿って後方に移動させることができる。
ガイド部７３をカラー８６に沿って後方に移動させることで、ガイド部７３のガイド開口部７３ｃをカラー８６から外すことができる。
ガイド開口部７３ｃをカラー８６から外すことで、締付孔７２をカラー８６から取り外すことができる。
【００５０】
ここで、ガイド開口部７３ｃは、上下のガイド７３ａ，７３ｂ間の寸法が締付孔７２の孔径寸法より僅かに大きく形成されている。
よって、ノブ付ねじ部材８１に沿ってガイド部７３を円滑に移動することができる。
ノブ付ねじ部材８１に沿ってガイド部７３を移動することで、締付孔７２をノブ付ねじ部材８１に嵌合された状態から、抜け出した状態まで円滑に移動させることができる。
【００５１】
また、ガイド部７３をノブ付ねじ部材８１から抜け出した状態から、ガイド開口部７３ｃを経てノブ付ねじ部材８１に円滑に嵌合させることができる。
さらに、ガイド部７３をノブ付ねじ部材８１に嵌合させた状態から、締付孔７２をノブ付ねじ部材８１に円滑に嵌合させることができる。
このガイド部７３の上ガイド７３ａには突出部７４が設けられている。
【００５２】
突出部７４は、上ガイド７３ａから左下支持部２８（図３参照）に向けて、すなわち下ガイド７３ｂに向けて突出されている。
よって、突出部７４をノブ付ねじ部材８１（具体的には、カラー８６）に当てることにより、ノブ付ねじ部材８１にカバー部材３５（図３参照）を仮止めできる。
これにより、ノブ付ねじ部材８１からカバー部材３５が外れることを防止できる。
【００５３】
ノブ付ねじ部材８１にカバー部材３５を仮止めすることで、ノブ付ねじ部材８１を締め付ける際に、カバー部材３５（図３参照）を手で押さえる必要がない。
これにより、ノブ付ねじ部材８１の締付け作業を容易におこなうことができる。
【００５４】
また、ノブ付ねじ部材８１にカバー部材３５（図３参照）を仮止めすることで、カバー部材３５に工具類５８（図７参照）を収納して重量が増しても、重量が増したカバー部材３５を収納ケース１８に容易に取り付けることができる。
さらに、左下支持部２８で左支持突部６５が支持されているので、重量が増したカバー部材３５を収納ケース１８に一層容易に取り付けることができる。
【００５５】
リブ部７５は、締付孔７２やガイド部７３に沿って設けられている。
このリブ部７５は、図６に示すように、カバー左側壁５２の外面５２ｃから外側に向けて突出されている。
リブ部７５の外側に係合部７６が設けられている。
【００５６】
図９に示すように、係合部７６は、締付孔７２の外周（具体的には、リブ部７５の外周）を囲むように円弧形の壁形状に形成されている。
この係合部７６は、ガイド部７３の近傍に上下の係合部位（一対の係合部位）７６ａ，７６ｂが設けられている。
上係合部位７６ａは、上ガイド７３ａの上側近傍（近傍）に設けられ、下係合部位７６ｂは、下ガイド７３ｂの下側近傍（近傍）に設けられている。
【００５７】
上下の係合部位７６ａ，７６ｂは、ノブ付ねじ部材８１の締付け時に、ノブ付ねじ部材８１のノブ嵌合部（一部位）８３に当接可能な部位である。
よって、ノブ付ねじ部材８１のノブ嵌合部８３から係合部７６が抜け出すことを防止できる。
なお、上下の係合部位７６ａ，７６ｂをノブ付ねじ部材８１のノブ嵌合部８３に当接可能とした理由についは後で詳しく説明する。
【００５８】
この係合部７６は、図６に示すように、カバー左側壁５２の外面５２ｃから外側に向けて突出されている。
係合部７６の突出高さ寸法Ｈ１は、リブ部７５の突出高さ寸法Ｈ２より大きく形成されている。
よって、係合部７６の突出高さ寸法Ｈ１で締付孔７２やノブ嵌合部８３を覆うことができる。
なお、係合部７６の突出高さ寸法Ｈ１をリブ部７５の突出高さ寸法Ｈ２より大きく形成した理由についは後で詳しく説明する。
【００５９】
図５、図６に示すように、左締付手段３６は、左上支持部２６の雌ねじ部４９にねじ結合可能なノブ付ねじ部材８１と、ノブ付ねじ部材８１のねじ部８２に回転自在に嵌入されたカラー８６と、ねじ部８２に嵌入された状態で左上支持部２６および割ピン８８間に介在されたワッシャ８７と、ねじ部８２の先端に設けられた割ピン８８とを備えている。
【００６０】
ノブ付ねじ部材８１は、左上支持部２６の雌ねじ部４９にねじ結合可能なねじ部８２と、ねじ部８２の基部８２ａに設けられたノブ嵌合部８３と、ノブ嵌合部８３に一体に設けられたノブ８４とを有するボルトである。
このノブ付ねじ部材８１は、ねじ部８２を左上支持部２６の雌ねじ部４９にねじ結合した状態で、カバー部材３５の揺動中心７０（図３参照）に対して略平行に設けられている。
【００６１】
また、ねじ部８２の先端に割ピン８８が設けられ、割ピン８８および左上支持部２６間にワッシャ８７が介在されている。
よって、ノブ付ねじ部材８１が左上支持部２６から外れることをワッシャ８７および割ピン８８で防いで、ノブ付ねじ部材８１が紛失することを防止できる。
【００６２】
ノブ嵌合部８３は、円板状に形成され、外形８３ａがリブ部７５の外側で、かつ、係合部７６の内側に位置するように張り出されている。
さらに、図９（ａ）に示すように、ノブ嵌合部８３は、外形寸法Ｄが上下の係合部位７６ａ，７６ｂ間の間隔Ｓ３より大きく形成されている。
よって、ノブ付ねじ部材８１のノブ嵌合部８３から係合部７６が抜け出すことを防止できる。
なお、ノブ嵌合部８３の外形寸法Ｄを上下の係合部位７６ａ，７６ｂ間の間隔Ｓ３より大きく形成した理由については後で詳しく説明する。
【００６３】
図５、図６に示すように、ノブ付ねじ部材８１のねじ部８２を左上支持部２６の雌ねじ部４９にねじ結合した状態でノブ付ねじ部材８１を回転することにより、ノブ嵌合部８３でカラー８６のフランジ８６ａが押圧される。
よって、カラー８６のフランジ８６ａがリブ部７５の端部に当接する。
これにより、ノブ嵌合部８３および左側壁２３（収納ケース１８）で左被締結部７１が締め付けられた状態に固定される。
【００６４】
この状態で、ノブ嵌合部８３の端面８３ｂが係合部７６の内側に収納される。
係合部７６は、リブ部７５の外周を囲むように壁形状に形成されている。
さらに、前述したように、係合部７６の突出高さ寸法Ｈ１は、リブ部７５の突出高さ寸法Ｈ２より大きく形成されている。
よって、係合部７６でノブ嵌合部８３を覆うことができるので、係合部７６およびノブ嵌合部８３間の隙間Ｓ４（図９（ａ）も参照）を小さく抑えることができる。
【００６５】
これにより、係合部７６およびノブ嵌合部８３間の隙間Ｓ４を経てねじ部８２側に砂や埃などの異物が侵入することを防いで、砂や埃などの異物からねじ部を保護することができる。
さらに、係合部７６でノブ嵌合部８３を覆うことができるので、ノブ嵌合部８３を外部から目視できないようにして外観性を高めることができる。
【００６６】
加えて、図９（ａ）で説明したように、ノブ嵌合部８３の外形寸法Ｄは、上下の係合部位７６ａ，７６ｂ間の間隔Ｓ３より大きく形成されている。
よって、ノブ付ねじ部材８１の締付け時に、ノブ嵌合部８３が上下の係合部位７６ａ，７６ｂに当接可能となる。
ノブ嵌合部８３を上下の係合部位７６ａ，７６ｂに当接させることで、ノブ付ねじ部材から係合部７６（すなわち、締付孔７２）が抜け出すことを阻止できる。
これにより、カバー部材３５を取付位置Ｐ１（図３参照）に確実に固定することができる。
【００６７】
ところで、カバー部材３５をノブ付ねじ部材８１で取付位置Ｐ１に固定した状態において、ノブ付ねじ部材８１に緩みが生じることが考えられる。
この場合でも、係合部７６の突出高さ寸法Ｈ１が大きく設定されているので、ノブ嵌合部８３に上下の係合部位７６ａ，７６ｂを当てることができ、カバー部材３５が外れることを防止できる。
【００６８】
つぎに、収納ケース１８からカバー部材３５を取り外す例を図１０〜図１３に基づいて説明する。
図１０（ａ）に示すように、カバー部材３５が取付位置Ｐ１に取り付けられている。
この状態において、ノブ付ねじ部材８１のノブ８４を手で握り、ノブ付ねじ部材８１の締め付け状態を緩める方向に矢印Ａの如く回転する。
【００６９】
図１０（ｂ）に示すように、ノブ付ねじ部材８１の締め付け状態を緩めることで、ノブ嵌合部８３の端面８３ｂが係合部７６の端面より外側に離れる。
よって、ノブ嵌合部８３の端面８３ｂおよび係合部７６の端面間に間隔Ｓ５が確保される。
これにより、ノブ付ねじ部材８１による左被締結部７１の締付けが解除される。
【００７０】
この状態において、突出部７４（図９（ｂ）参照）がカラー８６に接触している。
よって、ノブ付ねじ部材８１による左被締結部７１の締付けが解除された状態において、カバー部材３５が突出部７４で仮止めされている。
これにより、ノブ付ねじ部材８１を緩める際に、カバー部材３５（図１０（ａ）参照）を手で押さえる必要がなく作業の容易化が図れる。
【００７１】
さらに、ノブ付ねじ部材８１による左被締結部７１の締付けが解除された状態で、ノブ付ねじ部材８１のねじ部８２が左上支持部２６の雌ねじ部４９にねじ結合されている。
よって、ノブ付ねじ部材８１を左上支持部２６に保持した状態に保つことができる。
【００７２】
図１１（ａ）に示すように、ノブ付ねじ部材８１を緩めた後、支持突起６７を支点としてカバー部材３５を矢印Ｂの如く収納ケース１８から離れる方向に移動する。
【００７３】
図１１（ｂ）に示すように、カバー部材３５を矢印Ｂの如く移動することにより、突出部７４がカラー８６を押圧する。
突出部７４がカラー８６を押圧することで突出部７４に上向きの力が作用する。
【００７４】
図１２（ａ）に示すように、突出部７４がカラー８６（図１１（ｂ）参照）を押圧した後、カバー部材３５を矢印Ｂの如く継続させて移動することにより、支持突起６７が上方に向けて矢印Ｃの如く持ち上げられる。
よって、カバー部材３５が上方に向けて矢印Ｃの如く持ち上げられ、突出部７４がカラー８６（図１１（ｂ）参照）を円滑に乗り越えることができる。
【００７５】
ここで、図１１（ｂ）に示すカラー８６はねじ部８２に回転自在に嵌入されている。
よって、突出部７４がカラー８６を乗り越える際にカラー８６が回転する。カラー８６が回転することにより、突出部７４はカラー８６を一層円滑に乗り越えることができる。
【００７６】
図１２（ｂ）に示すように、突出部７４がカラー８６（図１１（ｂ）参照）を乗り越えた後、カバー部材３５を支持突起６７を支点にして（すなわち、揺動中心７０を軸にして）矢印Ｂの如く揺動させる。
この際に、左下支持部２８のグロメット４２を弾性変形させることでカバー部材３５を一層円滑に揺動させることができる。
【００７７】
カバー部材３５を揺動中心７０を軸にして矢印Ｂの如く揺動させることで、ガイド開口部７３ｃをカラー８６（図１１（ｂ）参照）から外して締付孔７２をカラー８６から取り外す。
締付孔７２をカラー８６から取り外した後、カバー部材３５を開放位置Ｐ２まで揺動する。カバー部材３５を開放位置Ｐ２まで揺動した後、カバー部材３５を上方に矢印Ｅの如く持ち上げる。
【００７８】
図１３に示すように、支持突起６７が上方に向けて矢印Ｅの如く持ち上げられてグロメット４２の貫通孔４３から支持突起６７を上方に抜き出す。
よって、収納ケース１８からカバー部材３５を外して、収納ケース１８の開口部６９を開放することができる。
収納ケース１８の開口部６９を開放することでバッテリ３１や制御部３２の保守・点検をおこなうことができる。
【００７９】
図１０〜図１３で説明したように、カバー部材３５が取付位置Ｐ１に取り付けられた状態において、ノブ付ねじ部材８１を緩める際に、カバー部材３５を手で押さえる必要がない。
よって、ノブ付ねじ部材８１を手間をかけないで緩めることができる。
これにより、カバー部材３５を収納ケース１８から取り外す取外作業を容易におこなうことができる。
【００８０】
また、カバー部材３５を収納ケース１８から取り外した状態において、ノブ付ねじ部材８１を左上支持部２６（図１０（ｂ）参照）に保持した状態に保つことができる。
このように、ノブ付ねじ部材８１を収納ケース１８に取り付けた状態に保つことで、ノブ付きボルトが紛失することを防ぐことができる。
【００８１】
さらに、ノブ付ねじ部材８１を左上支持部２６（図１０（ｂ）参照）から完全に取り外さなくてもカバー部材３５を取り外すことができる。
これにより、カバー部材３５の取外作業を容易におこなうことができる。
【００８２】
ついで、収納ケース１８にカバー部材３５を取り付ける例を図１４〜図１７に基づいて説明する。
図１４（ａ）に示すように、収納ケース１８から外したカバー部材３５を持ち上げ、支持突起６７をグロメット４２の貫通孔４３に矢印Ｆの如く差し込む。
【００８３】
図１４（ｂ）に示すように、カバー部材３５を支持突起６７を支点にして（すなわち、揺動中心７０を軸にして）矢印Ｇの如く収納ケース１８に向けて揺動させる。
【００８４】
図１５（ａ）に示すように、カバー部材３５を矢印Ｇの如く移動することにより、ノブ付ねじ部材８１のカラー８６にガイド開口部７３ｃからガイド部７３を嵌合させる。
カラー８６にガイド部７３を嵌合させることで突出部７４がカラー８６に当接する。
突出部７４がカラー８６に当接することで突出部７４に上向きの力が作用する。
【００８５】
図１５（ｂ）に示すように、突出部７４がカラー８６（図１５（ａ）参照）に当接した後、カバー部材３５を矢印Ｇの如く継続させて移動することにより、支持突起６７が上方に向けて矢印Ｈの如く持ち上げられる。
よって、カバー部材３５が上方に向けて矢印Ｈの如く持ち上げられ、突出部７４がカラー８６（図１５（ａ）参照）を円滑に乗り越えることができる。
【００８６】
ここで、図１５（ａ）に示すカラー８６はねじ部８２に回転自在に嵌入されている。
よって、突出部７４がカラー８６を乗り越える際にカラー８６が回転する。カラー８６が回転することにより、突出部７４はカラー８６を一層円滑に乗り越えることができる。
【００８７】
図１６（ａ）に示すように、突出部７４がカラー８６（図１５（ａ）参照）を乗り越えることでカバー部材３５が取付位置Ｐ１まで矢印Ｇの如く揺動する。
【００８８】
図１６（ｂ）に示すように、カバー部材３５が取付位置Ｐ１（図１６（ａ）参照）まで揺動した状態においてカラー８６に締付孔７２が嵌合される。
この状態において、カバー部材３５には自重による下向きの荷重Ｆが矢印の如く作用している。荷重Ｆが矢印の如く下向きに作用することで、突出部７４がカラー８６を乗り越え難くすることができる。
よって、カラー８６に締付孔７２が嵌合した状態に保持することが可能になり、カバー部材３５を取付位置Ｐ１（図１６（ａ）参照）に仮止めすることができる。
【００８９】
図１７に示すように、カバー部材３５を取付位置Ｐ１（図１６（ａ）参照）に仮止めした状態で、ノブ付ねじ部材８１のノブ８４を手で握り、ノブ付ねじ部材８１を締め付ける方向に矢印Ｉの如く回転する。
【００９０】
このように、カバー部材３５を取付位置Ｐ１に仮止めした状態でノブ付ねじ部材８１を締め付けることができる。
よって、ノブ付ねじ部材８１を締め付ける際に、カバー部材３５を手で押さえる必要がなく作業の容易化が図れる。
【００９１】
ノブ付ねじ部材８１を締め付ける方向に矢印Ｉの如く回転することで、ノブ嵌合部８３および左側壁２３（収納ケース１８）で左被締結部７１が締め付けられた状態に固定される。
これにより、収納ケース１８にカバー部材３５が取り付けられる。
【００９２】
図１４〜図１７で説明したように、カバー部材３５の支持突起６７を支点にして収納ケース１８に向けてカバー部材３５を揺動することで、ノブ付ねじ部材８１のカラー８６にガイド部７３を嵌合させることができる。
これにより、ノブ付ねじ部材８１のカラー８６にガイド部７３を手間をかけないで嵌合させることができる。
【００９３】
さらに、カバー部材３５を取付位置Ｐ１に仮止めした状態で、ノブ付ねじ部材８１を締め付ける作業ができる。
これにより、ノブ付ねじ部材８１を締め付ける際に、カバー部材３５を手で押さえる必要がないので、ノブ付ねじ部材８１を手間をかけないで締め付けることができる。
【００９４】
このように、カラー８６にガイド部７３を手間をかけないで嵌合させることができ、かつ、ノブ付ねじ部材８１を手間をかけないで締め付けることができる。
これにより、カバー部材３５を収納ケース１８に取り付ける取付作業を容易におこなうことができる。
【００９５】
なお、本発明に係るカバー部材の取付構造体は、前述した実施例に限定されるものではなく適宜変更、改良などが可能である。
例えば、前記実施例では、本発明を適用する機体として除雪機１０を例示するが、これに限定するものではなく、管理機、脱穀機や工作機械などの他の機体に本発明を適用することも可能である。
【００９６】
また、前記実施例では、ノブ付ねじ部材８１としてボルトを例示したが、これに限らないで、ノブ付ねじ部材としてナットを用いることも可能である。
【００９７】
さらに、前記実施例では、カバー部材３５に備えた左右の支持突部６５を下端とし、左右の被締結部７１を上端とした例について説明したが、これに限らないで、カバー部材３５の上下を反転させて左右の支持突部６５を上端とし、左右の被締結部７１を下端とすることも可能である。
この場合、ガイド部７３の下ガイド７３ｂに突出部７４が設けられる。
【００９８】
また、前記実施例で示した収納ケース１８、カバー部材の取付構造体２０、左右の左下支持部２８、カバー部材３５、左右の支持突部６５、左右の被締結部７１、締付孔７２、ガイド部７３、突出部７４、係合部７６、ノブ付ねじ部材８１およびノブ嵌合部８３などの形状や構成は例示したものに限定するものではなく適宜変更が可能である。
【産業上の利用可能性】
【００９９】
本発明は、機体の周壁部にカバー部材が取り付けられることにより、カバー部材で周壁部の開口部を覆うように構成されたカバー部材の取付構造体への適用に好適である。
【符号の説明】
【０１００】
１０…除雪機（機体）、１８…収納ケース（周壁部）、２０…カバー部材の取付構造体、２８…左右の左下支持部（支持部）、３５…カバー部材、４２…グロメット、５２ｂ…カバー左側壁の前端部（端部）、６５…左右の支持突部（一方の部位）、６９…開口部、７０…揺動中心、７１…左右の被締結部（他方の部位）、７２…締付孔、７３…ガイド部、７３ａ…上ガイド（ガイド部のうち支持部の反対側の部位）、７３ｃ…ガイド開口部（開口部）、７４…突出部、７６…係合部、７６ａ，７６ｂ…上下の係合部位（一対の係合部位）、８１…ノブ付ねじ部材、８３…ノブ嵌合部（ノブ付ねじ部材の一部位）。
【図１】
0005759824.tif 000002
【図２】
0005759824.tif 000003
【図３】
0005759824.tif 000004
【図４】
0005759824.tif 000005
【図５】
0005759824.tif 000006
【図６】
0005759824.tif 000007
【図７】
0005759824.tif 000008
【図８】
0005759824.tif 000009
【図９】
0005759824.tif 000010
【図１０】
0005759824.tif 000011
【図１１】
0005759824.tif 000012
【図１２】
0005759824.tif 000013
【図１３】
0005759824.tif 000014
【図１４】
0005759824.tif 000015
【図１５】
0005759824.tif 000016
【図１６】
0005759824.tif 000017
【図１７】
0005759824.tif 000018